(57)【要約】      （修正有）【課題】簡単な操作で、帽子を頭髪に確実に留めることができ、また、ファッション性にも優れる帽子留め具を提供する【解決手段】帽子に装着された状態で帽子を表側から挟持する挟着部９を備える留め具本体２と、同じく帽子に装着された状態で帽子の表側から裏側に通され、帽子内の頭部の頭髪１０と一緒に帽子を裏側から挟持する断面直径が１．５ｍｍ以下の長尺ピン部材３を備える長尺ピン取付片１１と、これらを軸支する枢軸４と、枢軸４に介装された巻ばね５とを具備し、留め具本体１の開閉操作部８と長尺ピン取付片１１の開閉操作部１２の摘み操作により、巻ばね５の付勢力に抗して留め具本体１と長尺ピン部材３の先端を開き、摘み操作の解除により閉じる構成とする。開閉操作部８の内側に装飾体６を取り付ける。【選択図】図１
0003116989.tif 000002
【実用新案登録請求の範囲】
【請求項１】
帽子に装着された状態で帽子を表側から挟持する挟着部を備える留め具本体と、同じく帽子に装着された状態で帽子の表側から裏側に通され、帽子内の頭部の頭髪と一緒に帽子を裏側から挟持する断面直径が１．５ｍｍ以下の長尺ピン部材を備える長尺ピン取付片と、これら留め具本体と長尺ピン取付片をそれらの基端部において互いに回動自在に軸支する枢軸と、この枢軸に介装された巻ばねとを具備してなり、留め具本体および長尺ピン取付片の各基端部には対となる開閉操作部が設けられ、開閉操作部の内側に装飾体が取付けられ、開閉操作部の掴み操作により留め具本体の挟着部と長尺ピン部材を巻ばねの付勢力に抗して枢軸回りに開く方向に回動させ、摘み操作の解除により留め具本体の挟着部と長尺ピン部材を巻ばねの付勢力により枢軸回りに閉じる方向に回動させる構成とされていること特徴とする帽子留め具。
【請求項２】
摘み操作の解除により巻ばねの付勢力により留め具本体の挟着部と長尺ピン部材を枢軸回りに閉じる方向に回動させたとき、長尺ピン部材が留め具本体の挟着部の内側の凹部に収容されることを特徴とする請求項１記載の帽子留め具。
【請求項３】
留め具本体が先端に向かうに従い先端先細り形状をなすとともに、頭部の形状に沿って緩やかに湾曲する形状をなすことを特徴とする請求項１または請求項２に記載の帽子留め具。
【請求項４】
装飾体は枢軸に介装された巻ばねを隠すように開閉操作部の内側に取付けられていることを特徴とする請求項１ないし請求項３のいずれか１項に記載の帽子留め具。
【考案の詳細な説明】
【技術分野】
【０００１】  本考案は、帽子を頭髪に留める帽子留め具に関する。
【背景技術】
【０００２】  帽子を被っているとき、風に煽られて帽子が飛ばされそうになる場合があり、突風のときなど実際に帽子が飛ばされる場合が少なくない。その対策として、一般には帽子の両側にゴム紐を付けて顎に掛けて固定する方式が周知であるが、それに替わる方法として種々の提案が従来よりなされている。【０００３】  一例として、帽子に小穴を開け、細長いクリップを挿入し、クリップの帽子の内側の際に脱落帽子リングを嵌めた帽子を被り、外からクリップの開閉バーを押し、バネの作用で中のクリップを開き、頭髪を挟み開閉バーを離してクリップで頭髪を留めるようにした帽子留めクリップ（特許文献１）、帽子の内側に頭髪を把持するヘアーピンを装着するようにした固定器具（特許文献２）などが知られている。【０００４】
【特許文献１】特開２００２−１３８３２１号
【特許文献２】実用新案登録第３０７３４８９号
【考案の開示】
【考案が解決しようとする課題】
【０００５】  しかしながら、特許文献１の帽子留めクリップは、帽子に通気口がなければ細長いクリップを挿入する小穴を帽子に開ける必要があり、帽子留めクリップを必要としない日に帽子を被るときはその小穴が帽子の外観を損ねる問題がある。ファッションで帽子を被る人にとっては、帽子に小穴を開けること自体抵抗を感じる問題もある。また、特許文献２の固定器具は、帽子の内側に頭髪を把持するヘアーピンを装着するから、帽子を頭髪に留める必要がない場合は、帽子の内側のヘアーピンがむしろ邪魔になる問題がある。【０００６】  本考案は前記課題に鑑みてなされたもので、非常に簡単な操作で帽子を頭髪に留めることができ、ファッション性にも優れ、また、帽子に留め具用の特別の処置を講じる必要のない帽子留め具を提供することを目的とする。【０００７】  また、安全な帽子留め具を提供することを目的とする。
【課題を解決するための手段】
【０００８】  前記課題を解決するために、本考案の請求項１に係る帽子留め具は、帽子に装着された状態で帽子を表側から挟持する挟着部を備える留め具本体と、同じく帽子に装着された状態で帽子の表側から裏側に通し、帽子内の頭部の頭髪と一緒に帽子を裏側から挟持する断面直径が１．５ｍｍ以下の長尺ピン部材を備える長尺ピン取付片と、これら留め具本体と長尺ピン取付片をそれらの基端部において互いに回動自在に軸支する枢軸と、この枢軸に介装した巻ばねとを具備してなり、留め具本体および長尺ピン取付片の各基端部には対となる開閉操作部を設け、開閉操作部の内側に装飾体を取付け、開閉操作部の掴み操作により留め具本体の挟着部と長尺ピン部材を巻ばねの付勢力に抗して枢軸回りに開く方向に回動し、摘み操作の解除により留め具本体の挟着部と長尺ピン部材を巻ばねの付勢力により枢軸回りに閉じる方向に回動する構成としたこと特徴とする。【０００９】  開閉操作部を摘んで長尺ピン部材を帽子に表側から裏側に通すだけの非常に簡単な操作で、帽子を頭髪に確実に留めることができる。長尺ピン部材は断面直径が１．５ｍｍ以下であるから、帽子に小穴を開ける必要なく、長尺ピン部材を帽子の表側から裏側に容易に通すことができる。帽子の中の頭髪を通し、後は開閉操作部を離せば、長尺ピン部材と留め具本体の挟着部との間で頭髪と帽子が一緒に挟持される。【００１０】  開閉操作部を再び摘んで長尺ピン部材を帽子の裏側から抜けば、普通の帽子の使用状態に戻すことができる。帽子の元の外観を損ねることがない。【００１１】  開閉操作部の内側に装飾体を取り付けたことで、ファッション性に優れる。【００１２】  本考案の請求項２に係る帽子留め具は、摘み操作の解除により留め具本体の挟着部と長尺ピン部材を巻ばねの付勢力により枢軸回りに閉じる方向に回動させたとき、長尺ピン部材が留め具本体の挟着部の内側の凹部に収容されることを特徴とする。【００１３】  長尺ピン部材を留め具本体の挟着部の内側の凹部に収容するから、帽子留め具の帽子への装着状態、帽子留め具を使用しない状態、いずれの場合であっても、取扱い上の安全性を十分確保できる。【００１４】  本考案の請求項３に係る帽子留め具は、留め具本体が先端に向かうに従い先端先細り形状をなすとともに、頭部の形状に沿って緩やかに湾曲する形状をなすことを特徴とする。【００１５】  帽子留め具の飾りとしてのファッション性を高めることができる。また、帽子と頭髪に対する密着性を高めることができる。【００１６】  本考案の請求項４に係る帽子留め具は、枢軸に介装された巻ばねを隠すように装飾体が留め具本体の開閉操作部の内側に取付けられていることを特徴とする。【００１７】  装飾体で巻ばねを隠すから、帽子留め具の飾りとしてのファッション性をより一層高めることができる。
【考案の効果】
【００１８】
【００１９】  以上説明したように、本考案に係る帽子留め具は、非常に簡単な操作で帽子を頭髪に留めることができ、ファッション性にも優れ、また、帽子に留め具用の特別の処置を講じる必要のない帽子留め具を提供するという優れた効果を奏することができる。また、長尺ピン部材を留め具本体の挟着部の内側の凹部に収容することで、取扱い上の安全性を十分に確保できる効果を奏する。
【考案を実施するための最良の形態】
【００２０】  考案を実施するための最良の形態を図１ないし図６を参照して説明する。これらの図に示すように、本考案の帽子留め具１は、留め具本体２と、長尺ピン部材３と、枢軸４と、巻ばね５と、装飾体６とを備えている。【００２１】  留め具本体２は、帽子留め具１を帽子７に装着した状態において、帽子７の表側に位置するもので、先端に向かうに従い先細り形状となる細長い部材である。留め具本体２の基端部から後端にかけては開閉操作部８が設けられている。また、留め具本体２の基端部を除く先端にかけては帽子７を表側から挟着する挟着部９が形成されている。かかる留め具本体２は、後端から先端にかけて頭部の周囲に沿うように緩やかな湾曲形状に形成されている。【００２２】  留め具本体２の材質は、剛性がある金属材料、例えば真鍮製または軽量なアルミニウム材料とすることができる。金属材料の表面に金または銀メッキして高級感を出すこともできる。金属材料の替りに、合成樹脂材料を用いてもよく、合成樹脂製とする場合、形状の自由度を大きくすることができる他、種々の色に着色することができる。【００２３】  長尺ピン部材３は、同じく帽子留め具１を帽子７に装着した状態において、帽子７の表側から裏側にかけて通し、毛髪１０を帽子７との間に挟着する役目をする。この長尺ピン部材３は、先端が鋭利な形状とされ先端に向かうに従い先細り形状となる長尺な金属部材である。この長尺ピン部材３の断面直径は１．５ｍｍ以下とされる。このような長尺ピン部材３は、留め具本体２の挟着部９に対向して設けられ、長尺ピン部材３の後端部に幅広のピン部材取付片１１が設けられ、このピン部材取付片１１の基端部から後端部にかけては留め具本体１の開閉操作部８と対となって機能する開閉操作部１２が設けられている。このピン部材取付片１１の材質は、留め具本体２の材質と同一である。【００２４】  留め具本体２の基端部とピン部材取付片１１の基端部は枢軸４において互いに回動自在に取付けられている。枢軸４は、留め具本体２側の一対の突片と、ピン部材取付片１１側の一対の突片を互いに組み合わせ、これら突片を軸ピン４ａにより軸支する構造となっている。枢軸４には巻きばね５が介装されており、留め具本体２とピン部材取付片１１の両開閉操作部８、１２の摘み操作により、巻きばね５の付勢力に抗して留め具本体２の先端部と長尺ピン部材３の先端部を図２の開く方向Ａへ回動させるようになっている。逆に、留め具本体２と長尺ピン部材３の両開閉操作部８、１２の摘み操作を解除すると、巻きばね５の付勢力により留め具本体２の先端部と長尺ピン部材３の先端部を図２の閉じる方向へ回動させるようになっている。そして、留め具本体２とピン部材取付片１２の両開閉操作部８、１２の摘み操作をしないときは、巻きバネ５の付勢力により図１に示すように長尺ピン部材３が留め具本体２の挟着部９の内側凹部９ａに完全に収容され、長尺ピン部材３の鋭利な先端が露出しないようになっている。【００２５】  装飾体６は、留め具本体２の開閉操作部８の内側に巻きばね５を隠すように取り付けられる。装飾体６は、帽子留め具１を帽子７に装着した状態において、巻きばね５が外から見えないように隠すとともに、帽子７を装飾する飾りとして機能し、帽子留め具１の装飾性をより一層高めるものである。装飾体６の例としては、図に示すような造花の形状の他、リボン、動物をマスコット化したものなどが考えられるが、これらに限られない。【００２６】  前記構成の帽子留め具１は次のようにして使用する。一例としてつばの広い帽子を挙げる。つばの広い帽子は風が強いとき容易に飛ばされる心配があるので、出かける前に帽子留め具１を帽子７に装着する。装着方法は非常に簡単である。【００２７】  まず、頭に帽子７を被る。片方の手で帽子７を押さえながら、もう片方の手に帽子留め具１を持ち、帽子留め具１の開閉操作部８、１２を摘む。【００２８】  図４から図５に示すように、留め具本体２の先端部と長尺ピン部材３の先端部を開いた状態で、帽子７の表側の脇から長尺ピン部材３の先端を帽子７の裏側へ、さらに帽子７の中の頭髪１０の中へ通すようにする。【００２９】  長尺ピン部材３を十分に頭髪１０の中まで通した状態で、図６に示すように、開閉操作部８，１２の摘み操作を解除すると、巻きばね５の付勢力により長尺ピン部材３が留め具本体２の挟着部９の凹部９ａ側へ収容されるように戻り、頭髪１０と帽子７を長尺ピン部材３と留め具本体２の挟着部９の凹部９ａとの間に強く挟持する。【００３０】  本考案の帽子留め具１を用いれば、非常に簡単な操作で、帽子７を頭髪１０に確実に留めることができる。帽子留め具１の装着後は、帽子７の飾りとして機能する。
【産業上の利用可能性】
【００３１】  本考案は、風によって帽子が飛ばされないように帽子を頭髪に留めると同時に帽子の飾りとしても利用できる帽子留め具として利用することができる。
【図面の簡単な説明】
【００３２】
【図１】本考案の帽子留め具を示す斜視図、
【図２】図１の帽子留め具の先端を開いた状態を示す斜視図、
【図３】図１の帽子留め具を帽子に装着した状態を示す斜視図、
【図４】図１の帽子留め具を帽子に装着する途中を示す平面図、
【図５】図１の帽子留め具を帽子に装着する途中を示す要部拡大図、
【図６】図５の状態から帽子留め具を頭髪とともに帽子に装着した状態を示す平面図である。
【符号の説明】
【００３３】  １  帽子留め具
２  留め具本体
３  長尺ピン部材
４  枢軸
４ａ  軸ピン
５  巻きばね
６  装飾体
７  帽子
８、１２  開閉操作部
９  挟着部
９ａ  凹部
１０  頭髪
１１  ピン部材取付片
【図１】
0003116989.tif 000003
【図２】
0003116989.tif 000004
【図３】
0003116989.tif 000005
【図４】
0003116989.tif 000006
【図５】
0003116989.tif 000007
【図６】
0003116989.tif 000008